(57)【要約】      （修正有）【課題】腰部と腹部と臀部の運動と鍛錬を達成できる多機能フィットネスマシンを提供する。【解決手段】サポートスタンドフレーム台１を地面に置き、伸縮連棒１０を調整して斜めに立たせ、前が高く後が低い傾斜状にして地面に置く。伸縮連棒１０の長さとグリップ２０の角度を回して調整することで、クッション台５を固定するかどうかを選択でき、使用者は両膝をクッション台５上につき、両ひじをそれぞれひじサポートパッド２で支え、次に両膝、片膝に腰部と腹部を対応させ、クッション台５を押して移動させ、クッションフレーム体４のレール棒３に沿った前後スライド移動と左右回転スライドを同時に生じさせ、スケートボードに類似の運動を達成する。しかも伸縮連棒１０の長さを調整することで、異なる傾斜角度を形成し、さまざまな使用者に適用でき、また腰部と腹部と臀部の鍛錬に長時間使用できる。【選択図】図１
0003183497.tif 000002
【実用新案登録請求の範囲】
【請求項１】
多機能フィットネスマシンは、サポートスタンドフレーム台、ひじサポートパッド、レール棒、クッションフレーム体、クッション台により組成し、
前記レール棒には、それぞれキャスターにより、前記ダブルレール式レール棒に沿ってスライド移動が可能な前記クッションフレーム体をスライド状に嵌め、
前記クッションフレーム体頂点部は、可動ピンにより、前記クッション台に固定し、
前記ダブルレール式レール棒前端左右には、前記ひじサポートパッドをそれぞれ固定し、前記ひじサポートパッド前にはさらに、グリップを可動状に連接し、
前記レール棒前縁底端と、前記レール棒末端が接続するサポートスタンドフレーム台前縁との間には、伸縮連棒を可動状に連接し、
これにより、前記サポートスタンドフレーム台を地面に置くことができ、及び固定ネジを調整し、前記伸縮連棒の長さを調整することができ、こうして前が高く後が低い傾斜状にして地面に置くことができることを特徴とする多機能フィットネスマシン。
【請求項２】
前記ひじサポートパッド前に可動状に連接するグリップは、回して角度を調整可能であることを特徴とする請求項１に記載の多機能フィットネスマシン。
【請求項３】
前記レール棒底縁には、停止体を設置し、
これにより、前記クッションフレーム体の前後スライド移動の行程に制限を加えることができることを特徴とする請求項１に記載の多機能フィットネスマシン。
【請求項４】
前記クッションフレーム体頂点部は、可動ピンにより、前記クッション台底部の弧状槽内にスライド状に嵌めて設置し、
しかも、調節ダイヤルにより、定位孔に螺入し、前記クッション台を定位することができることを特徴とする請求項１に記載の多機能フィットネスマシン。
【考案の詳細な説明】
【技術分野】
【０００１】
本考案は多機能フィットネスマシンに関し、特にダブルレール式レール棒上にそれぞれキャスターにより、レール棒に沿ってスライド移動が可能なクッションフレーム体をスライド状に嵌め、クッションフレーム体頂点部は、可動ピンにより、クッション台底部の弧状槽内に固定し、レール棒前端左右には、ひじサポートパッドをそれぞれ固定し、ひじサポートパッド前にはさらに、回して角度を調整可能なグリップを可動状に連接し、レール棒前縁底端と、レール棒末端が接続するサポートスタンドフレーム台前縁との間には、伸縮連棒を可動状に連接し、これによりサポートスタンドフレーム台を地面に置き、伸縮連棒を調整して斜めに立たせ、前が高く後が低い傾斜状にして地面に置くことができ、伸縮連棒の長さとグリップの角度を回して調整することで、クッション台を固定するかどうかを選択でき、使用者は両膝をクッション台上につき、両ひじをそれぞれひじサポートパッドで支え、次に両膝、片膝に腰部と腹部を対応させ、クッション台を押して移動させ、クッションフレーム体のレール棒に沿った前後スライド移動と左右回転スライドを同時に生じさせ、スケートボードに類似の運動を達成でき、しかも伸縮連棒の長さを調整することで、異なる傾斜角度を形成し、さまざまな使用者に適用でき、また腰部と腹部と臀部の鍛錬に長時間使用でき、さらに収納と使用が便利で迅速であるという実用の利益をも備える多機能フィットネスマシンに関する。
【背景技術】
【０００２】
バランスの悪い食生活を送り、運動場所と運動量が不足している現代人は、健康を非常に重視するようになっている。しかし、現在市場に見られるフィットネスマシンでは、腰部と腹部と臀部を同時に訓練できる器具は極めて少なく、またあったとしても非常に高価で、重く、体積も大きいため広い収納スペースを必要とする。さらに、違った使用者、及び違ったレベルでの使用に調整することができない。
【考案の概要】
【考案が解決しようとする課題】
【０００３】
本考案が解決しようとする課題は、本考案人のフィットネス器具製造、設計における十数年の経験を生かし研究を積み重ね、上記の欠点を解決すべく何度も実験と試作を繰り返し開発した多機能フィットネスマシンを提供することである。
【課題を解決するための手段】
【０００４】
請求項１の考案は、多機能フィットネスマシンは、サポートスタンドフレーム台、ひじサポートパッド、レール棒、クッションフレーム体、クッション台により組成し、
前記レール棒には、それぞれキャスターにより、前記ダブルレール式レール棒に沿ってスライド移動が可能な前記クッションフレーム体をスライド状に嵌め、
前記クッションフレーム体頂点部は、可動ピンにより、前記クッション台に固定し、
前記ダブルレール式レール棒前端左右には、前記ひじサポートパッドをそれぞれ固定し、前記ひじサポートパッド前にはさらに、グリップを可動状に連接し、
前記レール棒前縁底端と、前記レール棒末端が接続するサポートスタンドフレーム台前縁との間には、伸縮連棒を可動状に連接し、
これにより、前記サポートスタンドフレーム台を地面に置くことができ、及び固定ネジを調整し、前記伸縮連棒の長さを調整することができ、こうして前が高く後が低い傾斜状にして地面に置くことができることを特徴とする多機能フィットネスマシンとしている。
請求項２の考案は、前記ひじサポートパッド前に可動状に連接するグリップは、回して角度を調整可能であることを特徴とする請求項１に記載の多機能フィットネスマシンとしている。
請求項３の考案は、前記レール棒底縁には、停止体を設置し、
これにより、前記クッションフレーム体の前後スライド移動の行程に制限を加えることができることを特徴とする請求項１に記載の多機能フィットネスマシンとしている。
請求項４の考案は、前記クッションフレーム体頂点部は、可動ピンにより、前記クッション台底部の弧状槽内にスライド状に嵌めて設置し、
しかも、調節ダイヤルにより、定位孔に螺入し、前記クッション台を定位することができることを特徴とする請求項１に記載の多機能フィットネスマシンとしている。
【考案の効果】
【０００５】
本考案の多機能フィットネスマシンは、腰部と腹部と臀部の運動と鍛錬を同時に達成することができ、収納、使用共に、便利で迅速に行うことができる。
【図面の簡単な説明】
【０００６】
【図１】本考案実施例の立体図である。
【図２】本考案実施例の立体分解図である。
【図３】本考案クッションフレーム体とクッション台実施例の立体分解図である。
【図４】本考案使用実施例の立体模式図である。
【図５】本考案使用実施例の立体模式図である。
【図６】本考案使用実施例の立体模式図である。
【図７】本考案使用実施例の立体模式図である。
【図８】本考案使用実施例の立体模式図である。
【図９】本考案使用実施例の立体模式図である。
【図１０】本考案使用実施例の立体模式図である。
【図１１】本考案使用実施例の立体模式図である。
【考案を実施するための形態】
【０００７】
本考案の技術内容、構造特徴、達成する目的を詳細に説明するため、以下に実施例を挙げ並びに図面を組み合わせて説明する。
【０００８】
図１〜１１に示すように、本考案は、サポートスタンドフレーム台１、ひじサポートパッド２、レール棒３、クッションフレーム体４、クッション台５により組成する。
【０００９】
レール棒３には、それぞれキャスター３０により、ダブルレール式レール棒３に沿ってスライド移動が可能なクッションフレーム体４をスライド状に嵌める。
【００１０】
クッションフレーム体４頂点部は、可動ピン３１により、クッション台５底部の弧状槽３２内にスライド状に嵌めて設置し、しかも調節ダイヤル４０により、定位孔４１に螺入し、クッション台５を定位することができる。
【００１１】
ダブルレール式レール棒３前端左右には、ひじサポートパッド２をそれぞれ固定する。ひじサポートパッド前にはさらに、回して角度を調整可能なグリップ２０を可動状に連接する。レール棒３前縁底端と、レール棒３末端が接続するサポートスタンドフレーム台１前縁との間には、伸縮連棒１０を可動状に連接する。これにより、サポートスタンドフレーム台１を地面に置くことができ、及び固定ネジ１１を調整し、伸縮連棒１０の長さを調整することができる。こうして、前が高く後が低い傾斜状にして地面に置くことができる。
【００１２】
レール棒３底縁には、停止体３４を設置でき、これによりクッションフレーム体の前後スライド移動の行程に制限を加えることができる。
【００１３】
実際の操作及び使用時には、使用者は、サポートスタンドフレーム台１を地面に置き、伸縮連棒１０の長さを調整し、固定ネジ１１により固定する。これにより、ダブルレール式レール棒３は、前が高く後が低い傾斜状を呈して地面上に支えられる。こうして、便利かつ迅速に施力程度を改変でき、しかも調節ダイヤル４０により、クッションフレーム体４とクッション台５との間の結合状態を固定し、或いは緩めることができる。さらに、グリップ２０を回して調整することで、傾斜角度を変更でき、これによりさまざまな使用者、或いは違った傾斜角度に対応して、両手で握る形式とできる。
【００１４】
使用者は、両膝をクッション台５上につき、両ひじをそれぞれひじサポートパッド２で支える。次に、両膝、片膝、或いは両足により、腰部と腹部を対応させ、クッション台５を押して移動させ、クッションフレーム体４のレール棒３に沿った前後スライド移動を連動し、さらにクッション台を回して移動させ、左右に回転させることができる。しかも、レール棒３底縁の停止体３４により制限を加えることができる。こうして、スケートボードに類似の運動により、腰部と腹部と臀部の同時鍛錬を達成することができる。さらに、違った使用者、及び異なるレベルの使用をも提供することができる。
【００１５】
本考案は、固定ネジ１１により、伸縮連棒１０を緩め、或いは締めるだけで、サポートスタンドフレーム台１とダブルレール式レール棒３を、迅速に収納し、また展開することができる。よって、収納、使用共に非常に迅速かつ便利に行うことができる。
【００１６】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１７】
１  サポートスタンドフレーム台
２  ひじサポートパッド
３  レール棒
４  クッションフレーム体
５  クッション台
１０  伸縮連棒
１１  固定ネジ
２０  グリップ
３０  キャスター
３１  可動ピン
３２  弧状槽
３４  停止体
４０  調節ダイヤル
４１  定位孔
【図１】
0003183497.tif 000003
【図２】
0003183497.tif 000004
【図３】
0003183497.tif 000005
【図４】
0003183497.tif 000006
【図５】
0003183497.tif 000007
【図６】
0003183497.tif 000008
【図７】
0003183497.tif 000009
【図８】
0003183497.tif 000010
【図９】
0003183497.tif 000011
【図１０】
0003183497.tif 000012
【図１１】
0003183497.tif 000013